(57)【要約】【課題】簡便に制御パターンを作成及び保存することのできる監視制御装置及び監視制御システムを提供する。【解決手段】本実施形態の監視制御装置は、制御対象となる制御機器を表示する監視グラフィック画面２１を有する表示部２０と、制御機器の制御指令及び設定値を含む制御信号が記憶された制御信号記憶部３１と、監視グラフィック画面２１に表示された制御機器を認識する認識部４０と、認識部４０により認識された、監視グラフィック画面２１に表示の制御機器について、制御信号記憶部３１から制御信号を取得し、当該制御機器と対応付け、認識された各制御機器の制御パターンとして、定義ファイル５１を生成する生成部５０と、定義ファイル５１を保存する保存部６０と、を備える。【選択図】図１
2019028941.tif 000002
【特許請求の範囲】
【請求項１】
制御対象となる制御機器を表示する監視グラフィック画面を有する表示部と、
前記制御機器の制御指令及び設定値を含む制御信号が記憶された制御信号記憶部と、
前記監視グラフィック画面に表示された前記制御機器を認識する認識部と、
前記認識部により認識された、前記監視グラフィック画面に表示の前記制御機器について、前記制御信号記憶部から前記制御信号を取得し、当該制御機器と対応付け、前記認識された各前記制御機器の制御パターンとして、定義ファイルを生成する生成部と、
前記定義ファイルを保存する保存部と、
を備えることを特徴とする監視制御装置。
【請求項２】
前記監視グラフィック画面の一部の範囲を指定する入力部を備え、
前記認識部は、前記範囲内に表示の前記制御機器を認識し、
前記生成部は、前記範囲内の前記制御機器について前記定義ファイルを生成すること、
を特徴とする請求項１記載の監視制御装置。
【請求項３】
前記監視グラフィック画面は、選択により、前記定義ファイルに基づいて前記制御機器を制御する制御パターン復元ボタンを表示すること、
を特徴とする請求項１又は２記載の監視制御装置。
【請求項４】
前記保存部は、
前記監視グラフィック画面に表示された制御パターン保存ボタンと、
前記制御パターン保存ボタンの選択により、前記定義ファイルを記憶する定義ファイル記憶部と、
を有すること、
を特徴とする請求項１〜３の何れかに記載の監視制御装置。
【請求項５】
複数の制御パターンを含む制御パターン一覧定義ファイルが記憶された一覧定義ファイル記憶部を備え、
前記監視グラフィック画面には、前記制御パターン一覧定義ファイルの各制御パターンが一覧表示され、選択された制御パターン毎に当該制御パターンが表示されること、
を特徴とする請求項１〜４の何れかに記載の監視制御装置。
【請求項６】
前記生成部は、前記監視グラフィック画面に表示の前記制御機器の前記定義ファイルを、表示されている画面毎に生成し、前記制御パターン一覧定義ファイルを生成すること、
を特徴とする請求項５記載の監視制御装置。
【請求項７】
前記監視グラフィック画面には、前記制御機器の制御順番を受け付ける制御順欄が設けられ、
前記生成部は、前記制御機器の制御信号と制御順序とを対応付けて前記定義ファイルを作成すること、
を特徴とする請求項１〜６の何れかに記載の監視制御装置。
【請求項８】
前記監視グラフィック画面には、前記制御機器の制御タイミングの入力を受け付けるタイミング欄が設けられ、
前記生成部は、前記制御機器の制御信号と制御タイミングとを対応付けて前記定義ファイルを作成すること、
を特徴とする請求項１〜７の何れかに記載の監視制御装置。
【請求項９】
前記生成部は、前記監視グラフィック画面に表示された前記制御機器をユーザが実際に操作した順番及びタイミングを、該当する制御信号と対応付けて定義ファイルを生成すること、
を特徴とする請求項１〜８の何れかに記載の監視制御装置。
【請求項１０】
制御対象となる複数の制御機器と、
前記制御機器を監視及び制御する監視制御装置と、
前記制御機器と前記監視制御装置とを繋ぐネットワークと、
を備え、
前記監視制御装置は、請求項１〜９のいずれかの監視制御装置であること、
を特徴とする監視制御システム。
【発明の詳細な説明】
【技術分野】
【０００１】
本発明の実施形態は、複数の制御機器を監視及び制御する監視制御装置及び監視制御システムに関する。
【背景技術】
【０００２】
監視制御システムは、監視及び制御対象となる複数の制御機器と、これらの制御機器を監視及び制御する監視制御装置とを含み構成される。監視制御装置には、制御機器の制御目的により、複数の制御機器のオン、オフの切替え、設定値変更などを含む操作の制御パターンがある。
【０００３】
従来の監視制御システムでは、制御パターンを切り替える方法として、２つの方法がある。第１の方法は、手動で制御パターンの仕様の通り、監視画面にて各制御機器を操作する方法である。第２の方法は、事前に制御パターンを登録しておき、制御パターンを切り替える時に登録した制御パターン一覧から選択して実施する方法である。
【先行技術文献】
【特許文献】
【０００４】
【特許文献１】特開２０００−２５９２２８号公報
【発明の概要】
【発明が解決しようとする課題】
【０００５】
上記の通り、従来の監視制御装置及び監視制御システムでは、制御パターンを実施する方法として、予め登録された制御パターンを選択することで自動で各機器を操作する方法がある。
【０００６】
しかし、制御パターンを登録する際、その設定画面で、手動で各制御機器に対する制御信号が定義された信号一覧から信号を選択して設定するものであるため、その設定に時間を要していた。
【０００７】
本実施形態に係る監視制御装置及び監視制御システムは、上記のような課題を解決するためになされたものであり、簡便に制御パターンを作成及び保存することのできる監視制御装置及び監視制御システムを提供することを目的とする。
【課題を解決するための手段】
【０００８】
上記の目的を達成するために、本実施形態の監視制御装置は、制御対象となる制御機器を表示する監視グラフィック画面を有する表示部と、前記制御機器の制御指令及び設定値を含む制御信号が記憶された制御信号記憶部と、前記監視グラフィック画面に表示された前記制御機器を認識する認識部と、前記認識部により認識された、前記監視グラフィック画面に表示の前記制御機器について、前記制御信号記憶部から前記制御信号を取得し、当該制御機器と対応付け、前記認識された各前記制御機器の制御パターンとして、定義ファイルを生成する生成部と、前記定義ファイルを保存する保存部と、を備えることを特徴とする。
【０００９】
本実施形態の監視制御システムは、制御対象となる複数の制御機器と、前記制御機器を監視及び制御する前記監視制御装置と、前記制御機器と前記監視制御装置とを繋ぐネットワークと、を備えることを特徴とする。
【図面の簡単な説明】
【００１０】
【図１】第１の実施形態に係る監視制御装置の機能ブロック図である。
【図２】監視グラフィック画面の一例を示す図である。
【図３】制御信号一覧を示すテーブルの一例を示す図である。
【図４】第１の実施形態に係る定義ファイルの一例を示す図である。
【図５】第１の実施形態に係る監視制御装置の動作を示すフローチャートである。
【図６】第１の実施形態に係る監視制御システムの動作を示すフローチャートである。
【図７】制御パターン復元前後の監視グラフィック画面の一例を示す図である。
【図８】第２の実施形態に係る監視制御装置を説明するための監視グラフィック画面の一例を示す図である。
【図９】第２の実施形態に係る監視制御装置の動作を示すフローチャートである。
【図１０】第２の実施形態に係る定義ファイルの一例を示す図である。
【図１１】第３の実施形態に係る監視制御装置の機能ブロック図である。
【図１２】制御パターン一覧定義ファイルの一例を示す。
【図１３】第３の実施形態に係る監視制御装置を説明するための監視グラフィック画面の一例を示す図である。
【図１４】第３の実施形態に係る監視制御システムの動作を示すフローチャートである。
【図１５】第４の実施形態に係る監視制御システムの動作を示すフローチャートである。
【図１６】第４の実施形態の変形例に係る監視制御装置を説明するための監視グラフィック画面の一例を示す図である。
【図１７】第５の実施形態に係る監視グラフィック画面の一例を示す図である。
【発明を実施するための形態】
【００１１】
［１．第１の実施形態］
［１−１．構成］
以下では、図１〜図４を参照しつつ、本実施形態に係る監視制御システム及び監視制御装置の構成を説明する。
【００１２】
本監視制御システムは、複数の制御機器と、各制御機器を監視及び制御する監視制御装置と、制御機器と監視制御装置とを繋ぐネットワークとを備える。ネットワークは、有線又は無線のネットワークであり、制御機器と監視制御装置との各情報や信号、指令を伝送する。制御機器は、監視制御装置により監視及び制御される対象機器である。制御機器としては、監視制御装置がビルに設けられる場合には、例えば、照明、空調などが挙げられる。監視制御装置が電気設備、空港又は上下水道を監視及び制御対象とする場合には、開閉器、滑走路の灯火、上下水道のポンプが挙げられる。
【００１３】
監視制御装置は、単一のコンピュータ又はネットワーク接続された複数のコンピュータ及び表示装置を含み構成されている。監視制御装置は、プログラム及びデータベースをＨＤＤやＳＳＤ等に記憶しており、ＲＡＭに適宜展開し、ＣＰＵで処理することにより、後述するように制御パターンが格納された定義ファイルを生成するなど、必要な演算を行う。本実施形態では、制御機器が建物の各階の照明及び空調である場合を例にして説明する。
【００１４】
図１は、本実施形態に係る監視制御装置の機能ブロック図である。監視制御装置は、入力部１０、表示部２０、記憶部３０、認識部４０、生成部５０、保存部６０、制御出力部７０、及び表示制御部８０を備える。
【００１５】
入力部１０は、監視制御装置に必要な情報、処理の選択や指示を入力する構成部である。入力部１０としては、例えば、キーボード、マウス、タッチパネル等が挙げられる。
【００１６】
表示部２０は、対象となる制御機器を表示する監視グラフィック画面２１を含み構成されている。表示部２０としては、液晶ディスプレイなどの表示装置、タッチパネルなどが挙げられる。監視グラフィック画面２１は、ユーザインターフェースである。監視グラフィック画面２１には、制御機器のシンボルが、制御機器の状態及び動作設定値とともに表示される。制御機器のシンボルとは、例えば、制御機器を示す画像である。図２は、監視グラフィック画面２１の一例を示しており、フロアがＡゾーン、Ｂゾーン、Ｃゾーンに分かれており、各ゾーンの照明、空調の形を模した画像が表示されている。制御機器の状態は、動作状態を示し、照明、空調の場合、オン又はオフである。当該状態は、色で識別可能である。例えば、制御機器がオンの場合は、赤色で表示し、オフの場合は、緑色で表示する。制御機器の動作設定値は、制御機器を動作させる数値である。照明、空調の場合は、最大光量の割合、温度である。
【００１７】
監視グラフィック画面２１には、制御パターン保存ボタン２１１及び制御パターン復元ボタン２１２が表示される。制御パターン保存ボタン２１１は、監視グラフィック画面２１に表示の制御機器について、後述する制御信号を取得する契機となるボタンである。制御パターン復元ボタン２１２は、後述する定義ファイルに基づいて制御機器を制御する契機となるボタンである。
【００１８】
記憶部３０は、ＨＤＤやＳＳＤなどの記録媒体で構成され、監視制御装置の処理に必要な各種の情報を記憶する。記憶部３０は、制御信号記憶部３１、定義ファイル記憶部３２を含み構成される。制御信号記憶部３１は、制御機器を制御する制御信号が記憶されている。制御信号には、制御機器を所定の状態にする制御指令信号及び設定値信号が含まれる。ここでは、図３に示すように、制御信号記憶部３１には、制御機器毎に付されたＩＤと、オン又はオフなどの状態にする制御指令と、設定値とが対応付けられた制御テーブル３１１が予め記憶されている。定義ファイル記憶部３２は、制御パターン保存ボタン２１１の選択を契機として、後述するように生成部５０が生成した定義ファイルを記憶する。
【００１９】
認識部４０は、プロセッサを含み構成され、監視グラフィック画面２１に表示された制御機器を認識する。例えば、制御機器のＩＤと対応付けた制御機器のシンボルを示す画像データを予め記憶部３０に記憶させておき、監視グラフィック画面２１に表示中の制御機器の当該画像データを取得することで認識することができる。
【００２０】
生成部５０は、プロセッサを含み構成され、認識部４０により認識された、監視グラフィック画面２１に表示の制御機器について、制御信号記憶部３１から制御信号を取得する。そして、当該制御機器と対応付け、制御機器の制御パターンとして定義ファイル５１を生成する。この定義ファイル５１は、監視グラフィック画面２１に表示された制御機器に対する制御指令、設定値の各信号が制御機器毎にまとめられたファイルである。図４に示すように、生成部５０は、入力部１０を介してユーザから入力された制御パターン名称（ここでは、制御パターン１）を定義ファイル５１に付す。
【００２１】
保存部６０は、生成部５０により生成された定義ファイル５１を保存する。保存部６０は、制御パターン保存ボタン２１１と、定義ファイル記憶部３２とを有する。
【００２２】
制御出力部７０は、定義ファイル５１に基づいて制御機器に制御信号を出力し、制御機器を制御する。この制御出力部７０は、制御パターン復元ボタン２１２の選択を契機として、定義ファイル記憶部３２から定義ファイル５１を読み出して、定義ファイル５１の制御指令及び設定値を含む制御信号を取得し、当該制御信号を対応する制御機器に出力する。
【００２３】
表示制御部８０は、表示部２０の監視グラフィック画面２１の表示を制御する。例えば、表示制御部８０は、定義ファイル５１に基づく制御機器の状態、設定値を監視グラフィック画面２１に表示させる。また、表示制御部８０は、定義ファイル５１に基づいて制御パターンが復元された際には、定義ファイル５１から制御信号を取得し、復元後の制御機器の状態、設定値を表示させる。
【００２４】
［１−２．動作］
図５及び図６を用いて、本実施形態に係る監視制御装置及び監視制御システムの動作について説明する。まず、本監視制御装置による定義ファイルの生成及び保存処理について説明する。
【００２５】
図５に示すように、まず、監視制御装置は、入力部１０を介して、ユーザによる制御パターン名称の入力を受け付ける（ステップＳ０１）。この制御パターン名称の情報は、生成部５０に出力される。
【００２６】
次に、入力部１０を介して、ユーザにより制御パターン保存ボタン２１１が選択されると（ステップＳ０２）、認識部４０により、監視グラフィック画面２１に表示された現在の制御機器を認識する（ステップＳ０３）。例えば、認識部４０は、監視グラフィック画面２１に表示されている制御機器の画像データに対応付けられたＩＤを取得し、記憶部３０に記憶されたデータベースから、当該ＩＤに対応する制御機器を特定する。
【００２７】
更に、生成部５０は、制御信号記憶部３１から制御テーブル３１１を読み出し、認識された制御機器のＩＤに対応する制御信号を制御機器毎に取得する（ステップＳ０４）。そして、制御機器と対応付けて、認識された各制御機器の制御パターンとして、定義ファイル５１を生成する（ステップＳ０５）。このとき、定義ファイルに入力された制御パターン名称を付す。
【００２８】
生成された定義ファイル５１は、定義ファイル記憶部３２に記憶される。これにより、定義ファイル５１が保存される（ステップＳ０６）。
【００２９】
次に、本監視制御システムによる制御パターンの復元処理について説明する。図６に示すように、入力部１０を介して、ユーザによる定義ファイル５１の指定を受け付ける（ステップＳ１１）。ここでは、制御パターン復元ボタン２１２の選択により受け付ける。制御出力部７０により、指定された定義ファイル５１を定義ファイル記憶部３２から読み出し（ステップＳ１２）、該当する制御機器の制御指令、設定値を含む制御信号を取得する（ステップＳ１３）。そして、取得した制御信号を該当する制御機器にネットワークを介して出力し、各機器を制御する（ステップＳ１４）。なお、図７に示すように、表示制御部８０により、各機器の制御の際、監視グラフィック画面２１に制御パターンの復元後の各機器の状態、設定値の表示に変更する。
【００３０】
［１−３．作用・効果］
（１）本実施形態の監視制御装置は、制御対象となる制御機器を表示する監視グラフィック画面２１を有する表示部２０と、制御機器の制御指令及び設定値を含む制御信号が記憶された制御信号記憶部３１と、監視グラフィック画面２１に表示された制御機器を認識する認識部４０と、認識部４０により認識された、監視グラフィック画面２１に表示の制御機器について、制御信号記憶部３１から制御信号を取得し、当該制御機器と対応付け、認識された各制御機器の制御パターンとして、定義ファイル５１を生成する生成部５０と、定義ファイル５１を保存する保存部６０と、を備えるようにした。
【００３１】
これにより、簡便に制御パターンを作成及び保存することのできる監視制御装置及び監視制御システムを得ることができる。すなわち、監視グラフィック画面２１に表示された現状の全ての制御機器の状態、設定値を再現する定義ファイル５１を簡便に得ることができる。そのため、現状監視グラフィック画面２１に表示された全ての制御機器の動作状態を、他の機会に再現することができる。
【００３２】
（２）保存部６０は、監視グラフィック画面２１に表示された制御パターン保存ボタン２１１と、制御パターン保存ボタン２１１の選択により、定義ファイル５１を記憶する定義ファイル記憶部３２と、を有するようにした。これにより、監視グラフィック画面２１から、表示されている各制御機器の動作状態を再現する定義ファイル５１を簡便に保存することができる。
【００３３】
（３）監視グラフィック画面２１は、選択により、定義ファイル５１に基づいて制御機器を制御する制御パターン復元ボタン２１２を表示するようにした。これにより、定義ファイル５１の制御信号に基づいて、該当する制御機器を制御することができるので、定義ファイル５１で保存された該当する制御機器の動作状態を再現することができる。
【００３４】
［２．第２の実施形態］
［２−１．構成］
第２の実施形態について、図８〜図１０を用いて説明する。第２の実施形態は、第１の実施形態と基本構成は同じである。よって、第１の実施形態と異なる点のみを説明し、第１の実施形態と同じ部分については同じ符号を付して詳細な説明は省略する。
【００３５】
図８は、第２の実施形態に係る監視制御装置を説明するための監視グラフィック画面２１の一例を示す図である。第１の実施形態では、認識部４０は、監視グラフィック画面２１に表示された全ての制御機器を認識したが、第２の実施形態の認識部４０は、指定された範囲内に表示された制御機器を認識する。すなわち、認識部４０は、監視グラフィック画面２１内で範囲Ｒの指定があるかを判定する。入力部１０として設けたマウスでドラッグにより監視グラフィック画面２１の一部の範囲Ｒの指定があると判定する場合、認識部４０は、この指定された範囲Ｒ内に表示された制御機器を認識する。範囲Ｒの指定が無い場合は、第１の実施形態と同様、監視グラフィック画面２１内に表示された全ての制御機器の認識を行う。
【００３６】
［２−２．動作］
第２の実施形態に係る監視制御装置の保存処理について説明する。図９は、第２の実施形態に係る監視制御装置の動作を示すフローチャートである。第１の実施形態に係る監視制御装置の動作と同じ部分については説明を省略する。
【００３７】
図９に示すように、ユーザによる制御パターン名称の入力（ここでは、制御パターン２．ｄｅｆ）を受け付けた後、認識部４０により、監視グラフィック画面２１内で一部の範囲Ｒの指定があるかを判定する（ステップＳ２１）。範囲Ｒの指定がない場合（ステップＳ２１のＮｏ）、第１の実施形態と同様にステップＳ０２〜Ｓ０６を実行する。
【００３８】
範囲Ｒの指定がある場合（ステップＳ２１のＹｅｓ）、制御パターン保存ボタン２１１が選択されると（ステップＳ２２）、認識部４０は、指定された範囲Ｒ内に表示された制御機器を認識する（ステップＳ２３）。例えば、認識部４０は、監視グラフィック画面２１に表示されている制御機器の画像データに対応付けられたＩＤを取得し、記憶部３０に記憶されたデータベースから、当該ＩＤに対応する制御機器を特定する。
【００３９】
更に、生成部５０は、制御信号記憶部３１から制御テーブル３１１を読み出し、指定された範囲内で認識された制御機器のＩＤに対応する制御信号を制御機器毎に取得する（ステップＳ０４）。そして、制御機器と対応付けて、認識された各制御機器の制御パターンとして、定義ファイル５１を生成する（ステップＳ０５）。このとき、図１０に示すように、定義ファイルに入力された制御パターン名称（制御パターン２．ｄｅｆ）を付す。
【００４０】
生成された定義ファイル５１は、定義ファイル記憶部３２に記憶される。これにより、定義ファイル５１が保存される（ステップＳ０６）。
【００４１】
なお、本実施形態の変形例として、制御パターン保存ボタン２１１は、監視グラフィック画面２１の一部の範囲Ｒを指定した際に、マウスの右クリックにより表示させるようにしても良い。
【００４２】
［２−３．効果］
本実施形態の監視制御装置は、監視グラフィック画面２１の一部の範囲を指定する入力部１０を備え、認識部４０は、指定された範囲Ｒ内に表示の制御機器を認識し、生成部５０は、指定された範囲Ｒ内の制御機器について定義ファイル５１を生成するようにした。
【００４３】
これにより、定義ファイル５１を作成する際、動作状態を再現したい制御機器のみを選択することができるので、ユーザの要求に柔軟に対応した定義ファイル５１を得ることができる。
【００４４】
［３．第３の実施形態］
［３−１．構成］
第３の実施形態について、図１１〜図１４を用いて説明する。第３の実施形態は、第１の実施形態と基本構成は同じである。よって、第１の実施形態と異なる点のみを説明し、第１の実施形態と同じ部分については同じ符号を付して詳細な説明は省略する。
【００４５】
図１１は、第３の実施形態に係る監視制御装置の機能ブロック図である。記憶部３０には、一覧定義ファイル記憶部３３が設けられている。一覧定義ファイル記憶部３３には、制御パターン一覧定義ファイル５２が予め記憶されている。制御パターン一覧定義ファイル５２（以下、一覧定義ファイル５２とも称する。）は、複数の制御パターンを含む定義ファイル５１である。図１２に、一覧定義ファイル５２の一例を示す。図１２に示すように、一覧定義ファイル５２は、複数の定義ファイル５１から構成されたファイルであり、各定義ファイル５１の制御パターン毎に、定義ファイル５１を識別する画面ＩＤが付されている。
【００４６】
図１３に示すように、監視グラフィック画面２１には、制御パターン一覧表示欄２１ａと、選択された制御パターン表示するプレビュー欄２１ｂとが設けられている。制御パターン一覧表示欄２１ａは、一覧定義ファイル５２に含まれる制御パターン名称を一覧表示する。プレビュー欄２１ｂは、制御パターン一覧表示欄２１ａで選択された制御パターン、すなわち、各機器の状態、設定値を表示する。なお、図１３に示す「実行」ボタンは、制御パターン復元ボタン２１２であり、「削除」ボタンは、制御パターン一覧表示欄２１ａで選択された制御パターンを一覧定義ファイル５２から削除するボタンである。
【００４７】
表示制御部８０は、ユーザにより指定された一覧定義ファイル５２を一覧定義ファイル記憶部３３から読み出し、制御パターン一覧表示欄２１ａにおいて制御パターンを一覧表示させる。そして、複数の制御パターンの中からユーザにより選択された制御パターンをプレビュー欄２１ｂに表示させる。プレビュー欄２１ｂへの表示は、各制御パターンの表示画面をビットマップで保存しておき、選択された制御パターンを表示させるようにしても良いし、選択の度に定義ファイル５１から制御信号を取得して表示画面を作成して表示させても良い。
【００４８】
［３−２．動作］
図１４は、第３の実施形態に係る監視制御システムの動作を示すフローチャートである。第１の実施形態に係る監視制御システムの動作と同じ部分については説明を省略する。
【００４９】
まず、マウスやキーボードなど入力部１０を介して、一覧定義ファイル５２の指定を受け付ける（ステップＳ３１）。表示制御部８０は、ユーザにより指定された一覧定義ファイル５２を一覧定義ファイル記憶部３３から読み出すとともに、当該一覧定義ファイル５２を構成する定義ファイル５１から制御信号及び制御パターン名称をそれぞれ読み出す（ステップＳ３２）。そして、制御パターン一覧表示欄２１ａに制御パターン名称を一覧表示する（ステップＳ３３）。入力部１０を介して、制御パターンの選択を受け付けると（ステップＳ３４）、その制御パターンを図１３に示すようにプレビュー欄２１ｂに表示させる（ステップＳ３５）。
【００５０】
制御パターン復元ボタン２１２の選択があった場合（ステップＳ３６のＹｅｓ）、取得した制御信号を該当する制御機器にネットワークを介して出力し、各機器を制御する（ステップＳ３７）。
【００５１】
例えば、所定時間など制御パターン復元ボタン２１２の選択がない場合（ステップＳ３６のＮｏ）、制御パターンの選択に戻る（ステップＳ３４）。
【００５２】
［３−３．効果］
本実施形態の監視制御装置は、複数の制御パターンを含む制御パターン一覧定義ファイルが記憶された一覧定義ファイル記憶部３３を備えるようにした。そして、監視グラフィック画面２１には、制御パターン一覧定義ファイル５２の各制御パターンが一覧表示され、選択された制御パターン毎に当該制御パターンが表示されるようにした。これにより、制御パターンの一覧と、制御内容を確認した上で、制御パターンの実行をすることができる。
［４．第４の実施形態］
第４の実施形態について、図１５を用いて説明する。第４の実施形態は、第３の実施形態と基本構成は同じである。よって、第３の実施形態と異なる点のみを説明し、第３の実施形態と同じ部分については同じ符号を付して詳細な説明は省略する。
【００５３】
本実施形態の生成部５０は、一覧定義ファイル５２を生成する。その生成方法は、定義ファイル記憶部３２に記憶されている複数の定義ファイル５１を読み出して、これらの定義ファイル５１から構成される１つの一覧定義ファイル５２を作成しても良いし、順次定義ファイル５１を生成し、継ぎ足していくようにして一覧定義ファイル５２を作成しても良い。ここでは、生成部５０は、監視グラフィック画面２１に表示の制御機器の定義ファイル５１を、表示されている画面毎に生成し、一覧定義ファイル５１を生成する。その際、認識部４０は、監視グラフィック画面２１に表示されている制御機器の状態、設定値など制御パターンの変更毎に、監視グラフィック画面２１に表示されている制御機器を認識する。保存部６０は、一覧定義ファイル５２を一覧定義ファイル記憶部３３に保存する。
【００５４】
図１５は、第４の実施形態に係る監視制御装置の動作を示すフローチャートである。まず、入力部１０を介して、ユーザによる一覧定義ファイル５２の名称の入力を受け付ける（ステップＳ４１）。この名称の情報は、生成部５０に出力される。
【００５５】
次いで、ステップＳ０１〜Ｓ０５を実行する。ステップＳ０１〜Ｓ０５は、第１の実施形態と同様であるので省略する。なお、第１の実施形態と同様に、ステップＳ０５で定義ファイル５１が生成される際、入力された制御パターンの名称を付す。
【００５６】
次に、ステップＳ４２では、認識部４０が、監視グラフィック画面２１に表示されている制御パターンの変更を認識した場合（ステップＳ４２のＹｅｓ）、ステップＳ０１〜Ｓ０５の実行に戻り、変更後の定義ファイル５１を生成し、一覧定義ファイル５２に書き込む（ステップＳ４３）。一覧定義ファイル５２に含める定義ファイル５１の生成が終了するまでステップＳ０１〜Ｓ０５、Ｓ４２、Ｓ４３を繰り返す。監視グラフィック画面２１に表示されている制御パターンの変更を認識しない場合（ステップＳ４２のＮｏ）、一覧定義ファイル５２にその名称を書き込んで、一覧定義ファイル記憶部３３に保存する（ステップＳ４４）。
【００５７】
このように、生成部５０は、監視グラフィック画面２１に表示の制御機器の定義ファイル５１を、表示されている画面２１毎に生成し、制御パターン一覧定義ファイル５２を生成するようにした。
【００５８】
これにより、複数の制御パターンを一纏めにすることができる。例えば、関連する制御パターンをまとめて１つの一覧定義ファイル５２を作成することで、関連する制御パターンの管理をしやすくすることができる。
【００５９】
本実施形態の変形例として、図１６に示すように、監視グラフィック画面２１に制御パターンボタン２１３を設けても良い。制御パターンボタン２１３は、その選択により、制御パターンの保存、切替えが選択できるボタンである。
【００６０】
［５．第５の実施形態］
第５の実施形態について、図１７を用いて説明する。第５の実施形態は、第１の実施形態と基本構成は同じである。よって、第１の実施形態と異なる点のみを説明し、第１の実施形態と同じ部分については同じ符号を付して詳細な説明は省略する。
【００６１】
図１７は、第５の実施形態に係る監視グラフィック画面２１の一例を示す図である。監視グラフィック画面２１には、制御機器の制御順番を受け付ける制御順欄２１４及び制御機器の制御タイミングの入力を受け付けるタイミング欄２１５が設けられている。
【００６２】
制御順欄２１４には、入力部１０を介してユーザにより、制御の順番を示す数値が入力される。タイミング欄２１５には、入力部１０を介してユーザにより、制御タイミングが入力される。制御タイミングは、時間や時刻で指定することができる。例えば、時間で指定する場合、制御順番の一つ前の制御機器の動作から何秒（分、時間）後に対象の制御機器を動作させるかの時間をタイミング欄２１５に入力する。例えば、図１６に示す照明１の動作の３０秒後に空調１を動作させ、その５分後に照明２を動作させたいとき、空調１のタイミング欄２１５に３０秒と入力し、照明２のタイミング欄２１５に５分と入力する。なお、時刻で指定する場合は、制御順欄２１４は必ずしも必要ではない。
【００６３】
生成部５０は、制御機器の制御信号と、各欄２１４、２１５に入力された順番、タイミングとを対応付けて定義ファイル５１を生成する。或いは、生成部５０は、既に生成された定義ファイル５１に、対応する制御信号と対応付けて各欄２１４、２１５に入力された順番、タイミングを書き込んで、別途定義ファイル５１を作成しても良い。
【００６４】
このように、制御順欄２１４を設け、生成部５０により、制御信号と制御順序とを対応付けて定義ファイル５１を作成することにより、制御パターンにシーケンス情報を付加することができる。その結果、ユーザが所望するシーケンスで各制御機器を動作させることができる。
【００６５】
また、タイミング欄２１５を設け、生成部５０により、制御信号と制御タイミングとを対応付けて定義ファイル５１を作成することにより、制御パターンにシーケンス情報を付加することができる。その結果、ユーザが所望するシーケンスで各制御機器を動作させることができる。
【００６６】
本実施形態の変形例として、生成部５０は、ユーザが監視グラフィック画面２１に表示された制御機器を実際に操作した順番及びタイミングを、該当する制御信号と対応付けて定義ファイル５１を生成するようにしても良い。このようにしても、シーケンス情報を含んだ制御パターンを得ることができる。
【００６７】
このように、シーケンス情報を定義ファイル５１に付加することにより、電力系統に含まれる複数の開閉器などの電気設備を監視及び制御対象として、監視制御装置を用いることもできる。
【００６８】
［６．その他の実施形態］
本明細書においては、本発明の実施形態を説明したが、この実施形態は例として提示したものであって、発明の範囲を限定することを意図していない。具体的には、第１乃至第５の実施形態の何れかを組み合わせたもの、或いはこれらの実施形態の一部を組み合わせたものも包含される。以上のような実施形態は、その他の様々な形態で実施されることが可能であり、発明の範囲を逸脱しない範囲で、種々の省略や置き換え、変更を行うことができる。これらの実施形態やその変形は、発明の範囲や要旨に含まれると同様に、特許請求の範囲に記載された発明とその均等の範囲に含まれるものである。
【符号の説明】
【００６９】
１０          入力部
２０          表示部
２１          監視グラフィック画面
２１ａ        制御パターン一覧表示欄
２１ｂ        プレビュー欄
２１１        制御パターン保存ボタン
２１２        制御パターン復元ボタン
２１３        制御パターンボタン
２１４        制御順欄
２１５        タイミング欄
３０          記憶部
３１          制御信号記憶部
３１１        制御テーブル
３２          定義ファイル記憶部
３３          一覧定義ファイル記憶部
４０          認識部
５０          生成部
５１          定義ファイル
５２          制御パターン一覧定義ファイル
６０          保存部
７０          制御出力部
８０          表示制御部
【図１】
2019028941.tif 000003
【図２】
2019028941.tif 000004
【図３】
2019028941.tif 000005
【図４】
2019028941.tif 000006
【図５】
2019028941.tif 000007
【図６】
2019028941.tif 000008
【図７】
2019028941.tif 000009
【図８】
2019028941.tif 000010
【図９】
2019028941.tif 000011
【図１０】
2019028941.tif 000012
【図１１】
2019028941.tif 000013
【図１２】
2019028941.tif 000014
【図１３】
2019028941.tif 000015
【図１４】
2019028941.tif 000016
【図１５】
2019028941.tif 000017
【図１６】
2019028941.tif 000018
【図１７】
2019028941.tif 000019